(57)【要約】【課題】複雑な電極構造を要することなく、透過率および視野角特性に優れる横電界方式液晶表示素子を提供する。【解決手段】第１基材、上記第１基材上に形成された複数の平行な線状電極、および上記第１基材上に上記線状電極を覆うように形成された第１配向膜を有する液晶駆動側基板と、第２基材、および上記第２基材上に形成された第２配向膜を有する対向基板と、上記液晶駆動側基板および上記対向基板の間に形成され、キラル化合物を含有するネマチック液晶組成物を含む液晶層とを有する横電界方式液晶表示素子であって、上記線状電極の伸長方向に対して上記第１配向膜および上記第２配向膜の配向処理方向が交差しており、隣接する上記線状電極の間では電界印加時に液晶分子が第１方向に回転し、上記線状電極上では電界印加時に液晶分子が上記第１方向とは異なる第２方向に回転することを特徴とする横電界方式液晶表示素子。【選択図】図３
2014119589.tif 000002
【特許請求の範囲】
【請求項１】
第１基材、前記第１基材上に形成された複数の平行な線状電極、および前記第１基材上に前記線状電極を覆うように形成された第１配向膜を有する液晶駆動側基板と、
第２基材、および前記第２基材上に形成された第２配向膜を有する対向基板と、
前記液晶駆動側基板および前記対向基板の間に形成され、キラル化合物を含有するネマチック液晶組成物を含む液晶層と
を有する横電界方式液晶表示素子であって、
前記線状電極の伸長方向に対して前記第１配向膜および前記第２配向膜の配向処理方向が交差しており、
隣接する前記線状電極の間では電界印加時に液晶分子が第１方向に回転し、前記線状電極上では電界印加時に液晶分子が前記第１方向とは異なる第２方向に回転することを特徴とする横電界方式液晶表示素子。
【発明の詳細な説明】
【技術分野】
【０００１】
本発明は、マルチドメイン方式による駆動が可能な横電界方式液晶表示素子に関するものである。
【背景技術】
【０００２】
横電界方式液晶表示素子は、広視野角を実現できることから注目されている。近年では、さらなる視野角特性の向上を目的として、配向分割技術であるマルチドメイン方式を組み合わせる検討がなされている。マルチドメイン方式の横電界方式液晶表示素子においては、同一画素内に液晶分子の配向状態が異なる２つ以上の領域が存在するため、斜め方向から観察したときの白表示時または中間調表示時の色味の変化を改善することができる。
【０００３】
マルチドメイン化の方法としては、例えば、櫛歯電極を「く」の字状に形成し、櫛歯電極間に発生する電界の方向を異ならせることで、同一画素内に液晶分子の配向状態が異なる２つ以上の領域を形成する方法が知られている。しかしながら、電極構造が複雑になるという問題がある。
【０００４】
また、横電界方式液晶表示素子は、透過率が低いという課題を有している。横電界方式液晶表示素子においては、例えば、一方の基板に櫛歯電極を設け、隣接する櫛歯電極間で電界を発生させるため、櫛歯電極上では電界の横方向の成分が小さく、液晶分子が回転しにくい。そのため、透過率が低下するのである。
【０００５】
透過率向上の手段としては、例えば、電極のパターン、セルギャップ、液晶の弾性力、液晶および配向膜の種類等を調整する方法が提案されている。例えば特許文献１には、櫛歯電極上のセルギャップを櫛歯電極間のセルギャップよりも大きくすることにより、透過率を向上させる手段が開示されている。また特許文献２には、ＩＰＳモード液晶表示素子において、カイラル剤が添加された液晶を用い、一方の配向膜を水平配向膜とし、他方の配向膜を垂直配向膜とすることにより、駆動電圧を低減し、かつ透過率を向上させる手段が開示されている。
なお、特許文献２に記載されたＩＰＳモード液晶表示素子では、一方の配向膜が水平配向膜、他方の配向膜が垂直配向膜であり、電界無印加時に液晶分子はＴＮ方式のように配向しているが、一般的なＩＰＳモード液晶表示素子においては両方の配向膜が水平配向膜である。
【０００６】
また、マルチドメイン方式の横電界方式液晶表示素子においては、外部圧力により配向乱れが発生し液晶分子が逆方向に回転するリバースツイスト現象を抑制するために、例えば特許文献３には、配向処理方向に対して電極の延設方向を交差させる手法が提案されている。
【先行技術文献】
【特許文献】
【０００７】
【特許文献１】特開２０１０−８６６２号公報
【特許文献２】特開２０００−２６７１０４号公報
【特許文献３】特開２０１０−１４５８７１号公報
【発明の概要】
【発明が解決しようとする課題】
【０００８】
本発明は、上記実情に鑑みてなされたものであり、複雑な電極構造を要することなく、透過率および視野角特性に優れる横電界方式液晶表示素子を提供することを主目的とするものである。
【課題を解決するための手段】
【０００９】
本発明者らは、両方の配向膜が水平配向膜であり、一般的な構成を有する横電界方式液晶表示素子において、上記課題を解決するために鋭意検討を行った結果、キラル化合物が添加されたネマチック液晶組成物を用いることにより透過率および視野角特性を改善できることを知見した。
【００１０】
すなわち、本発明は、第１基材、上記第１基材上に形成された複数の平行な線状電極、および上記第１基材上に上記線状電極を覆うように形成された第１配向膜を有する液晶駆動側基板と、第２基材、および上記第２基材上に形成された第２配向膜を有する対向基板と、上記液晶駆動側基板および上記対向基板の間に形成され、キラル化合物を含有するネマチック液晶組成物を含む液晶層とを有する横電界方式液晶表示素子であって、上記線状電極の伸長方向に対して上記第１配向膜および上記第２配向膜の配向処理方向が交差しており、隣接する上記線状電極の間では電界印加時に液晶分子が第１方向に回転し、上記線状電極上では電界印加時に液晶分子が上記第１方向とは異なる第２方向に回転することを特徴とする横電界方式液晶表示素子を提供する。
【００１１】
本発明においては、ネマチック液晶組成物にキラル化合物が添加されており、線状電極の伸長方向に対して配向処理方向が所定の向きで交差していることにより、線状電極上においても液晶分子を回転させることができ、さらに線状電極間と線状電極上とで電界印加時の液晶分子の回転方向を逆方向にすることができる。したがって、複雑な電極構造を要することなく、マルチドメイン方式による駆動が可能であり、透過率および視野角特性を向上させることが可能である。
【発明の効果】
【００１２】
本発明においては、複雑な電極構造を要することなく、透過率および視野角特性を改善することが可能であるという効果を奏する。
【図面の簡単な説明】
【００１３】
【図１】本発明の横電界方式液晶表示素子の一例を示す概略断面図である。
【図２】本発明の横電界方式液晶表示素子の他の例を示す概略断面図である。
【図３】本発明の横電界方式液晶表示素子における線状電極および配向処理方向の一例を示す概略平面図である。
【図４】本発明の横電界方式液晶表示素子における線状電極および配向処理方向の他の例を示す概略平面図である。
【図５】実施例１の横電界方式液晶表示素子の顕微鏡写真である。
【図６】比較例１の横電界方式液晶表示素子の顕微鏡写真である。
【発明を実施するための形態】
【００１４】
以下、本発明の横電界方式液晶表示素子について詳細に説明する。
【００１５】
本発明の横電界方式液晶表示素子は、第１基材、上記第１基材上に形成された複数の平行な線状電極、および上記第１基材上に上記線状電極を覆うように形成された第１配向膜を有する液晶駆動側基板と、第２基材、および上記第２基材上に形成された第２配向膜を有する対向基板と、上記液晶駆動側基板および上記対向基板の間に形成され、キラル化合物を含有するネマチック液晶組成物を含む液晶層とを有する横電界方式液晶表示素子であって、上記線状電極の伸長方向に対して上記第１配向膜および上記第２配向膜の配向処理方向が交差しており、隣接する上記線状電極の間では電界印加時に液晶分子が第１方向に回転し、上記線状電極上では電界印加時に液晶分子が上記第１方向とは異なる第２方向に回転することを特徴とするものである。
【００１６】
本発明の横電界方式液晶表示素子について図面を参照しながら説明する。
図１は、本発明の横電界方式液晶表示素子の一例を示す概略断面図であり、ＩＰＳモード液晶表示素子の例である。図１に例示する横電界方式液晶表示素子１においては、液晶駆動側基板１０と対向基板２０との間に、キラル化合物が添加されたネマチック液晶組成物を含む液晶層３０が挟持されている。液晶駆動側基板１０は、第１基材２と、第１基材２上に形成され、櫛歯状に配置された複数の平行な線状電極３と、第１基材２上に線状電極３を覆うように形成された第１配向膜４とを有している。対向基板２０は、第２基材１１と、第２基材１１上に形成された第２配向膜１２とを有している。第１配向膜４および第２配向膜１２は、いずれもいわゆる水平配向膜であり、ラビング方向等の配向処理方向が略平行になるように配置されている。この横電界方式液晶表示素子１においては、線状電極３に電圧が印加されると、電気力線Ｌで示すように線状電極３間で電界が発生する。
【００１７】
図２は、本発明の横電界方式液晶表示素子の他の例を示す概略断面図であり、ＦＦＳモード液晶表示素子の例である。図２に例示する横電界方式液晶表示素子１においては、液晶駆動側基板１０と対向基板２０との間に、キラル化合物が添加されたネマチック液晶組成物を含む液晶層３０が挟持されている。液晶駆動側基板１０は、第１基材２と、第１基材２上に形成された全面電極３ａと、全面電極３ａ上に形成された絶縁層５と、絶縁層５上に形成され、櫛歯状に配置された複数の平行な線状電極３ｂと、絶縁層５上に線状電極３ｂを覆うように形成された第１配向膜４とを有している。対向基板２０は、第２基材１１と、第２基材１１上に形成された第２配向膜１２とを有している。第１配向膜４および第２配向膜１２は、いずれも水平配向膜であり、配向処理方向が略平行になるように配置されている。この横電界方式液晶表示素子１においては、全面電極３ａおよび線状電極３ｂに電圧が印加されると、電気力線Ｌで示すように全面電極３ａおよび線状電極３ｂ間で電界が発生する。
【００１８】
図３は、本発明の横電界方式液晶表示素子における線状電極および配向処理方向の一例を示す概略平面図である。図３に例示するように、複数の平行な線状電極３の伸長方向に対して配向処理方向ｄが所定の向きおよび所定の角度θで交差している。このような横電界方式液晶表示素子において、無電界状態では、図中の破線で示すように、液晶分子３１は配向処理方向ｄに沿って配列する。そして、液晶層に電圧を印加すると線状電極３間には電界Ｅが発生するため、隣接する線状電極３の間においては、電界Ｅに沿って液晶分子３１が配列し、液晶分子３１が基板面に対して略平行に第１方向Ｘ１、図３においては左回りに回転する。一方、線状電極３上においては、液晶分子３１は基板面に対して略平行に第１方向Ｘ１とは異なる第２方向Ｘ２、図３においては右回りに回転する。
【００１９】
一般的に横電界方式液晶表示素子においては、線状電極の近傍、特に線状電極の近傍であって対向基板の近傍では電界の横成分が小さいため液晶分子が回転しにくいが、本発明においては線状電極上でも液晶分子を回転させることができる。これは、キラル化合物がネマチック液晶組成物に添加されているからである。すなわち、キラル化合物は捩れを生じさせるものであるため、液晶分子の回旋方向には優位な方向が存在する。そのため、線状電極上では電界の横成分が小さくとも、キラル化合物に誘起される捩れにより液晶分子を回転させることができると推量される。
例えば、キラル化合物が右旋性を示し、右回りの回旋方向が優位である場合には、図３に示すように、線状電極３上では液晶分子３１はキラル化合物に誘起される捩れにより右回りに回転する。また、キラル化合物が左旋性を示し、左回りの回旋方向が優位である場合には、図４に示すように、線状電極３上では液晶分子３１はキラル化合物に誘起される捩れにより左回りに回転する。
【００２０】
また、横電界方式液晶表示素子においては、隣接する線状電極の間では、線状電極間に発生した電界により液晶分子が回転する。そのため、本発明においては、隣接する線状電極の間では電界の作用によって液晶分子が回転し、線状電極上ではキラル化合物に誘起される捩れによって液晶分子が回転していると考えられる。
線状電極間に発生する電界の方向は線状電極の伸長方向に対して直交しているため、線状電極の伸長方向に対して配向処理方向が交差する向きを適宜調整することにより、隣接する線状電極の間での液晶分子の回転方向を制御することができる。そして、本発明においては、上述のように、線状電極上では液晶分子はキラル化合物に誘起される捩れによって回転すると考えられる。したがって、線状電極の伸長方向に対して配向処理方向が交差する向きと、キラル化合物の捩れ方向とを適宜選択することにより、隣接する線状電極の間と線状電極上とで電界印加時の液晶分子の回転方向を逆方向にすることが可能になる。
【００２１】
例えば、キラル化合物が右旋性を示し、右回りの回旋方向が優位である場合には、図３に示すように、線状電極３上では液晶分子３１はキラル化合物に誘起される捩れにより右回りに回転することから、線状電極３の伸長方向に対して配向処理方向ｄを左回りの向きに交差させることにより、隣接する線状電極３の間では液晶分子３１を左回りに回転させることができる。すなわち、隣接する線状電極３の間では液晶分子３１を電界Ｅの作用により左回りに回転させ、線状電極３上では液晶分子３１をキラル化合物に誘起される捩れにより右回りに回転させることができる。
また、キラル化合物が左旋性を示し、左回りの回旋方向が優位である場合には、図４に示すように、線状電極３上では液晶分子３１はキラル化合物に誘起される捩れにより左回りに回転することから、線状電極３の伸長方向に対して配向処理方向ｄを右回りの向きに交差させることにより、隣接する線状電極３の間では液晶分子３１を右回りに回転させることができる。すなわち、隣接する線状電極３の間では液晶分子３１を電界Ｅの作用により右回りに回転させ、線状電極３上では液晶分子３１をキラル化合物に誘起される捩れにより左回りに回転させることができる。
【００２２】
このように本発明においては、ネマチック液晶組成物にキラル化合物が添加されていることにより、線状電極上においても液晶分子を回転させることができ、透過率を向上させることが可能である。さらに本発明においては、線状電極の伸長方向に対して配向処理方向が交差する向きと、キラル化合物の捩れ方向とを適宜選択することにより、隣接する線状電極の間と線状電極上とで電界印加時の液晶分子の回転方向を逆方向にすることができ、従来のような線状電極を「く」の字状に形成するマルチドメイン方式の横電界方式液晶表示素子と同様に、マルチドメイン化が可能である。したがって本発明においては、複雑な電極構造を要することなく、透過率および視野角特性を改善することが可能である。
【００２３】
以下、本発明の横電界方式液晶表示素子の各構成について説明する。
【００２４】
１．線状電極の伸長方向および配向処理方向
本発明においては、線状電極の伸長方向に対して第１配向膜および第２配向膜の配向処理方向が交差している。
【００２５】
本発明においては、上述のように、線状電極の伸長方向に対して配向処理方向が交差する向きと、キラル化合物の捩れ方向とを適宜選択することにより、隣接する線状電極の間と線状電極上とで電界印加時の液晶分子の回転方向を逆方向にすることが可能である。
線状電極の伸長方向に対して配向処理方向が交差する向きは、キラル化合物の捩れ方向に応じて適宜選択されるものであり、キラル化合物の捩れ方向に対して逆向きに設定される。例えば、キラル化合物が右旋性を示す場合には、図３に示すように、線状電極３の伸長方向に対して配向処理方向ｄを左回りの向きに交差させる。また、キラル化合物が左旋性を示す場合には、図４に示すように、線状電極３の伸長方向に対して配向処理方向ｄを右回りの向きに交差させる。
なお、ネマチック液晶組成物に捩れ方向の異なる２種以上のキラル化合物が添加されている場合には、線状電極の伸長方向に対して配向処理方向が交差する向きは、ネマチック液晶組成物に含まれるすべてのキラル化合物の混合物が示す捩れ方向に応じて適宜選択される。
【００２６】
線状電極の伸長方向に対する配向処理方向の角度としては、横電界方式液晶表示素子における一般的な角度であればよく、具体的には１°〜４５°の範囲内で設定することができ、中でも２０°〜４５°の範囲内であることが好ましく、３０°〜４５°の範囲内であることがより好ましい。ここで、横電界方式液晶表示素子において、偏光板の偏光軸に対する電界印加時の液晶分子の傾き角度をγとするとき、透過率は理論的にｓｉｎ2（２γ）に比例する。そのため、偏光軸に対する液晶分子の傾き角度γが４５°のときに透過率が最大になり、偏光軸に対する液晶分子の傾き角度γが４５°よりも大きくなると透過率は低下する。したがって、通常、上記角度は４５°以下に設定される。
【００２７】
線状電極の伸長方向に対する配向処理方向の角度は、次のように測定することができる。すなわち、まず、配向処理方向を確認する。偏光顕微鏡における２枚の偏光板をクロスニコルの状態に設定し、横電界方式液晶表示素子を透過光量が一番少なくなる位置まで回転させたとき、一方の偏光軸に一致する方向が配向処理方向である。次に、線状電極の伸長方向を確認する。横電界方式液晶表示素子においては、隣接する線状電極の間および線状電極上の境界に、線状電極の伸長方向に沿って、電界印加時の液晶分子の配向方向が隣接する線状電極の間での液晶分子の配向方向および線状電極上での液晶分子の配向方向のいずれとも異なり、電界印加時に液晶分子がほとんど動作しない帯状の領域が必ず存在する。そのため、偏光顕微鏡で観察することにより、線状電極の伸長方向を確認することができる。例えば、図５（ａ）は本発明の横電界方式液晶表示素子の顕微鏡写真の一例であり、隣接する線状電極の間Ｄ１および線状電極上Ｄ２では電界印加時に液晶分子が動作しており、隣接する線状電極の間Ｄ１および線状電極上Ｄ２の境界であって線状電極の両端に線状電極の伸長方向に沿って、電界印加時の液晶分子の配向方向が隣接する線状電極の間Ｄ１での液晶分子の配向方向および線状電極上Ｄ２での液晶分子の配向方向のいずれとも異なり、電界印加時に液晶分子がほとんど動作しない帯状の領域が存在している。続いて、線状電極の伸長方向に対する配向処理方向の角度を求める。
【００２８】
２．液晶分子の回転方向
本発明においては、隣接する線状電極の間では電界印加時に液晶分子が第１方向に回転し、線状電極上では電界印加時に液晶分子が第１方向とは異なる第２方向に回転する。
【００２９】
本発明においては、上述のように、隣接する線状電極の間では電界の作用によって液晶分子が回転し、線状電極上ではキラル化合物に誘起される捩れによって液晶分子が回転していると考えられる。
第１方向および第２方向は、キラル化合物の捩れ方向に応じて適宜選択されるものであり、第１方向はキラル化合物の捩れ方向とは逆方向であり、第２方向はキラル化合物の捩れ方向である。例えば、キラル化合物が右旋性を示す場合には、図３に示すように、第１方向Ｘ１は左回り、第２方向Ｘ２は右回りになる。また、キラル化合物が左旋性を示す場合には、図４に示すように、第１方向Ｘ１は右回り、第２方向Ｘ２は左回りになる。
なお、ネマチック液晶組成物に捩れ方向の異なる２種以上のキラル化合物が添加されている場合には、第１方向および第２方向は、ネマチック液晶組成物に含まれるすべてのキラル化合物の混合物が示す捩れ方向に応じて適宜選択される。
【００３０】
液晶分子の回転方向は、次のように確認することができる。すなわち、まず、偏光顕微鏡の偏光板をクロスニコルの状態に設定して、電圧無印加時の横電界方式液晶表示素子を透過光量が最小となる位置まで回転させる。次に、横電界方式液晶表示素子を観察しながら、電圧無印加から電圧を徐々に上げていき、液晶分子が動作し始めて透過光量が高くなり始めたら、横電界方式液晶表示素子を透過光量が低下する方向に回転させる。このとき、液晶分子の回転方向は横電界方式液晶表示素子の回転方向と逆方向になる。このようにして、液晶分子の回転方向を確認することができる。
【００３１】
３．液晶駆動側基板
本発明に用いられる液晶駆動側基板は、第１基材と、上記第１基材上に形成された複数の平行な線状電極と、上記第１基材上に上記線状電極を覆うように形成された第１配向膜とを有するものである。
以下、液晶駆動側基板の各構成について説明する。
【００３２】
（１）線状電極
本発明に用いられる線状電極は、第１基材上に平行に複数形成されるものである。
【００３３】
本発明においては、隣接する線状電極の間では電界印加時に液晶分子が第１方向に回転し、線状電極上では電界印加時に液晶分子が第１方向とは異なる第２方向に回転することにより、視野角特性を改善することができる。したがって、視野角特性を向上させるには、平面視上、隣接する線状電極の間の面積と、線状電極上の面積との差が小さいことが好ましい。
【００３４】
平面視における隣接する線状電極の間の面積と線状電極上の面積との差を小さくする方法としては、例えば、線状電極のピッチを小さくする方法、線状電極の間隔を狭くする方法、線状電極の幅を広くする方法等が挙げられる。
【００３５】
線状電極の間隔としては、横電界方式液晶表示素子における一般的な線状電極の間隔であればよく、具体的には２μｍ〜１５μｍの範囲内で設定することができる。なお、線状電極の間隔とは、図３に例示するような隣接する線状電極３の端部から端部まで距離ｈをいう。
【００３６】
線状電極の幅としては、横電界方式液晶表示素子における一般的な線状電極の幅であればよく、具体的には１μｍ〜１０μｍの範囲内で設定することができる。
【００３７】
線状電極のピッチとしては、横電界方式液晶表示素子における一般的な線状電極のピッチであればよく、具体的には５μｍ〜２０μｍの範囲内で設定することができる。なお、線状電極のピッチとは、図３に例示するような隣接する線状電極３の中心から中心まで距離ｐをいう。
【００３８】
線状電極の材料、形成方法および厚みとしては、公知の材料、形成方法および厚みを適用することができる。
【００３９】
（２）第１配向膜
本発明に用いられる第１配向膜は、第１基材上に上記線状電極を覆うように形成されるものである。
第１配向膜としては、例えばラビング膜等の水平配向膜が挙げられる。
第１配向膜の材料、形成方法および膜厚としては、公知の材料、形成方法および膜厚を適用することができる。
【００４０】
（３）第１基材
本発明に用いられる第１基材は、上記の線状電極および第１配向膜を支持するものである。第１基材は、一般に横電界方式液晶表示素子の基材として用いられるものであれば特に限定されるものではなく、例えば、ガラス板、プラスチック板等が挙げられる。
【００４１】
（４）その他の構成
本発明における液晶駆動側基板の構成は、ＩＰＳモードおよびＦＦＳモードに応じて適宜選択されるものであり、横電界方式液晶表示素子に一般的に使用されるものを適用することができる。例えば、ＦＦＳモード液晶表示素子においては、図２に示すように線状電極３ｂの他に、全面電極３ａが形成される場合がある。
【００４２】
４．液晶層
本発明に用いられる液晶層は、キラル化合物を含有するネマチック液晶組成物を含み、液晶駆動側基板および対向基板の間に形成されるものである。
以下、ネマチック液晶組成物および液晶層に分けて説明する。
【００４３】
（１）ネマチック液晶組成物
本発明に用いられるネマチック液晶組成物は、キラル化合物を含有するものである。
以下、本発明に用いられるネマチック液晶組成物に含まれる各成分について説明する。
【００４４】
（ａ）キラル化合物
本発明に用いられるキラル化合物は、全体として旋光性を示すものであってもよく、あるいは旋光性を示さないラセミ体であってもよい。中でも、キラル化合物は全体として旋光性を示すものであることが好ましい。キラル化合物が全体として旋光性を示すものであることにより透過率を向上させることができるからである。これは、全体として旋光性を示すキラル化合物を添加することにより液晶分子が回転しやすくなるからと考えられる。
ここで、「キラル化合物が全体として旋光性を示す」とは、１種のキラル化合物のみが添加されている場合には、当該キラル化合物が旋光性を示すことをいい、２種以上のキラル化合物が添加されている場合には、ネマチック液晶組成物に含有されるすべてのキラル化合物からなる混合物が旋光性を示すことをいう。例えば、２種以上のキラル化合物が含有される場合であって、旋光性が逆方向のキラル化合物、すなわち右旋性を示すキラル化合物および左旋性を示すキラル化合物が含有される場合には、２種以上のキラル化合物からなる混合物が旋光性を示せばよい。
【００４５】
また、キラル化合物全体により生じる捩れは、横電界方式液晶表示素子において、電界無印加時にネマチック液晶組成物がらせん構造を形成しない程度とする。電界無印加時にネマチック液晶組成物がらせん構造を形成すると、横電界では駆動できなくなる。そのため、キラル化合物全体により生じる捩れは、比較的弱いことが好ましい。
【００４６】
また、上述の理由から、キラル化合物全体のカイラルピッチは比較的長いことが好ましく、長いほどより好ましい。カイラルピッチが長ければ、キラル化合物の含有量をある程度許容することができ、ネマチック液晶組成物の調製に有利である。
【００４７】
また、キラル化合物は、液晶性を有するものであってもよく、液晶性を有さないものであってもよい。また、キラル化合物が液晶性を有する場合、スメクチック性を有していてもよく有さなくてもよい。
【００４８】
本発明に用いられるキラル化合物としては、上記のような特性を有するものであれば特に限定されるものではなく、公知のキラル化合物の中から適宜選択して用いることができる。以下、キラル化合物の具体例について説明する。
【００４９】
（i）下記一般式（１）および（２）で表されるキラル化合物
本発明に用いられるキラル化合物としては、例えば下記一般式（１）および（２）で表される化合物が挙げられる。
【００５０】
【化１】
2014119589.tif 000003
【００５１】
（上記式（１）および（２）において、Ｒ11およびＲ13は、非キラルな基であり、ハロゲン原子で置換されていてもよい炭素数４〜１８の飽和もしくは不飽和のアルキル基もしくはアルコキシアルキル基である。
Ｒ12およびＲ14は、キラルな基であり、下記一般式（３）で表される基である。
−Ｏ−(ＣＨ2)m−Ｃ＊Ｈ(Ｙ1)−(ＣＯＯ)n−Ｒ15      （３）
（上記式（３）において、Ｒ15は、ハロゲン原子で置換されていてもよい炭素数１〜１０の飽和もしくは不飽和のアルキル基もしくはアルコキシアルキル基である。Ｙ1は、−ＣＨ3またはフッ素原子を表す。ｍは０または１である。ｎは０または１である。＊印はキラル中心を示す。）
Ｘ1〜Ｘ12およびＸ13〜Ｘ24は、それぞれ独立して−ＣＨ3、−ＣＦ3、ハロゲン原子または水素原子を表す。ただし、Ｘ1〜Ｘ12のうち１つ以上およびＸ13〜Ｘ24のうち１つ以上は、それぞれ独立して−ＣＨ3、−ＣＦ3またはハロゲン原子である。
ｐは０または１であり、ｑおよびｒは一方が０、他方が１である。
ｓおよびｔは一方が０、他方が１であり、ｕおよびｖは一方が０、他方が１である。ただし、ｓおよびｖが同時に１になることはない。）
【００５２】
上記式（１）および（２）で表されるキラル化合物は、その構造からカイラルピッチが比較的小さいため、好適である。
【００５３】
上記式（１）および（２）で表されるキラル化合物は、液晶性を有するものであってもよく、液晶性を有さないものであってもよい。また、上記キラル化合物が液晶性を有する場合、スメクチック性を有していてもよく有さなくてもよい。
以下、上記式（１）で表されるキラル化合物および上記式（２）で表されるキラル化合物に分けて説明する。
【００５４】
（上記式（１）で表されるキラル化合物）
上記式（１）において、ｐは０または１であり、ｑおよびｒは一方が０、他方が１である。ｐ＝０、ｑ＝１、ｒ＝０のときは下記一般式（１−１）で表されるキラル化合物、ｐ＝０、ｑ＝０、ｒ＝１のときは下記一般式（１−２）で表されるキラル化合物、ｐ＝１、ｑ＝１、ｒ＝０のときは下記一般式（１−３）で表されるキラル化合物、ｐ＝１、ｑ＝０、ｒ＝１のときは下記一般式（１−４）で表されるキラル化合物になる。
【００５５】
【化２】
2014119589.tif 000004
【００５６】
（上記式（１−１）〜（１−４）において、Ｒ11、Ｒ12、Ｘ1〜Ｘ12は、上記式（１）と同様である。）
【００５７】
上記式（１）において、Ｒ11は非キラルな基であり、ハロゲン原子で置換されていてもよい炭素数４〜１８の飽和もしくは不飽和のアルキル基もしくはアルコキシアルキル基である。
アルキル基またはアルコシキアルキル基は、ハロゲン原子で置換されていてもよく、ハロゲン原子で置換されていなくてもよいが、中でも、ハロゲン原子で置換されていないことが好ましい。アルキル基またはアルコシキアルキル基がハロゲン原子で置換されている場合、ハロゲン原子はフッ素原子であることが好ましい。
アルキル基またはアルコキシアルキル基は、直鎖状または分岐状である。
アルキル基またはアルコシキアルキル基は、飽和であっても不飽和であってもよいが、中でも飽和であることが好ましい。環状の不飽和アルカン以外の不飽和アルカンにおいては、不飽和アルカンは飽和アルカンに比べて反応性が高く、長期の保存および駆動や温度変化により材質が変化し、横電界方式液晶表示素子の表示品質が劣化するおそれがあるからである。
Ｒ11はアルキル基であってもアルコキシアルキル基であってもよいが、中でもアルキル基であることが好ましい。
【００５８】
上記式（１）において、Ｒ12は、１個以上のキラル中心をもつキラルな基であり、上記式（３）で表される基である。
【００５９】
上記式（３）において、Ｒ15は、ハロゲン原子で置換されていてもよい炭素数１〜１０の飽和もしくは不飽和のアルキル基もしくはアルコキシアルキル基である。
アルキル基またはアルコシキアルキル基は、ハロゲン原子で置換されていてもよく、ハロゲン原子で置換されていなくてもよいが、中でも、ハロゲン原子で置換されていないことが好ましい。アルキル基またはアルコシキアルキル基がハロゲン原子で置換されている場合、ハロゲン原子はフッ素原子であることが好ましい。
アルキル基またはアルコキシアルキル基は、直鎖状、分岐状または環状である。
Ｒ15はアルキル基であってもアルコキシアルキル基であってもよいが、中でもアルキル基であることが好ましい。
【００６０】
上記式（３）において、Ｙ1は、−ＣＨ3またはフッ素原子を表す。中でも−ＣＨ3が好ましい。キラル化合物の合成が容易であり、安定して製造することができ、ネマチック液晶組成物を安価に得ることができるからである。
なお、上記式（１）においてＲ12はキラルな基であるため、上記式（３）において、Ｙ1が−ＣＨ3、ｎ＝０のとき、Ｒ15は−ＣＨ3ではない。
【００６１】
上記式（３）において、ｍ＝０のとき、１位の炭素原子がキラル中心となり、ｍ＝１のとき、２位の炭素原子がキラル中心となる。
【００６２】
上記式（１）において、Ｘ1〜Ｘ12は、それぞれ独立して−ＣＨ3、−ＣＦ3、ハロゲン原子または水素原子を表す。ただし、Ｘ1〜Ｘ12のうち１つ以上は、それぞれ独立して−ＣＨ3、−ＣＦ3またはハロゲン原子である。
Ｘ1〜Ｘ12のすべてが水素原子である場合には、キラル化合物の溶解性が低下するため、キラル化合物の合成、精製が困難になり、コストが高くなる。これに対し、本発明のようにＸ1〜Ｘ12のうち１つ以上が−ＣＨ3、−ＣＦ3またはハロゲン原子である場合には、キラル化合物の溶媒への溶解性が高くなり、大量合成、精製が可能になる。
【００６３】
中でも、上記式（１−１）および（１−３）においては、Ｘ10およびＸ12以外のいずれか１つ以上が、それぞれ独立して−ＣＨ3、−ＣＦ3またはハロゲン原子であることが好ましい。Ｘ10およびＸ12以外の位置に置換基を有する場合はＸ10またはＸ12の位置の場合よりもキラル化合物の溶解性が良いからである。これは、Ｘ10およびＸ12の位置の場合は他の位置の場合に比べて置換基による歪みが少ないためであると考えられる。
【００６４】
１個のベンゼン環は、１〜４個の置換基を有することができるが、中でも１個または２個の置換基を有することが好ましい。置換基が１個の場合、置換基は−ＣＨ3、フッ素原子または塩素原子であることが好ましく、中でも−ＣＨ3またはフッ素原子であることが好ましい。一方、置換基が２個の場合にはいずれの置換基もフッ素原子であることが好ましい。この場合、２個の置換基の位置としては、例えばＸ1およびＸ2がフッ素原子である場合のようにベンゼン環の隣り合う炭素原子にそれぞれフッ素原子が置換していることが好ましい。ベンゼン環の隣り合う炭素原子に２個のフッ素原子がそれぞれ置換し、ベンゼン環が対称的に置換されている場合には、横電界方式液晶表示素子において透過率が高くなる傾向にある。
【００６５】
また、上記式（１）で表されるキラル化合物の場合、合計で１〜２個の置換基を有することが好ましい。
【００６６】
置換基の位置としては、直接結合された３〜４個の芳香環のうち、より真ん中に位置するベンゼン環が置換基を有することが好ましい。具体的には、上記式（１−１）においては、Ｘ1〜Ｘ4が結合しているベンゼン環が置換基を有することが好ましい。上記式（１−３）においては、Ｘ1〜Ｘ4またはＸ5〜Ｘ8が結合しているベンゼン環の少なくともいずれかが置換基を有することが好ましい。なお、上記式（１−２）および（１−４）においては、より真ん中に位置するベンゼン環が置換基を有している。上記キラル化合物の添加によりネマチック液晶組成物が結晶化しやすくなるのを抑制することができる。
【００６７】
上記式（１）で表されるキラル化合物の具体例としては、下記一般式（１−５）〜（１−８）で表されるキラル化合物が挙げられる。
【００６８】
【化３】
2014119589.tif 000005
【００６９】
（上記式（１−５）〜（１−８）において、Ｒ22は−Ｏ−Ｃ＊Ｈ(ＣＨ3)ＣＯＯＲ23あるいは−Ｏ−(ＣＨ2)m−Ｃ＊Ｈ(ＣＨ3)Ｒ23であり、Ｒ23は炭素数１〜１０の飽和または不飽和のアルキル基、ｍは０または１である。ｗは４〜１８である。Ｘ41〜Ｘ46は独立して−ＣＨ3、−ＣＦ3、ハロゲン原子または水素原子を表す。ただし、上記式（１−５）および（１−６）において、Ｘ41、Ｘ42、Ｘ45およびＸ46のいずれか１つが−ＣＨ3、−ＣＦ3またはハロゲン原子であり、残りが水素原子である、あるいは、Ｘ41およびＸ42の２つがフッ素原子であり、残りが水素原子である。また、上記式（１−７）および（１−８）において、Ｘ41〜Ｘ46のいずれか１つまたは２つが−ＣＨ3、−ＣＦ3またはハロゲン原子であり、残りが水素原子である、あるいは、Ｘ41およびＸ42、またはＸ43およびＸ44の２つがフッ素原子であり、残りが水素原子である。）
【００７０】
ｗは、上記式（１）におけるＲ11の炭素数と同様である。
Ｒ23は、上記式（３）におけるＲ15と同様とすることができる。中でも、Ｒ23は、直鎖状もしくは分岐状の飽和のアルキル基、またはフェニルアルキル基であることが好ましい。
Ｘ41〜Ｘ46は、上記式（１）におけるＸ1〜Ｘ12と同様とすることができる。
【００７１】
上記式（１−５）〜（１−８）で表されるキラル化合物の具体例としては、下記表１に示すキラル化合物を挙げることができる。なお、表中、右旋性を＋、左旋性を−で示す。
【００７２】
【表１】
2014119589.tif 000006
【００７３】
上記式（１）で表されるキラル化合物としては、１種を単独で用いてもよく、２種以上を混合して用いてもよい。
【００７４】
上記式（１）で表されるキラル化合物は、例えば、国際公開第２０１０／０３１４３１号パンフレットに記載の方法により合成することができる。
【００７５】
（上記式（２）で表されるキラル化合物）
上記式（２）において、ｓおよびｔは一方が０、他方が１であり、ｕおよびｖは一方が０、他方が１である。ただし、ｓおよびｖが同時に１になることはない。ｓ＝０、ｔ＝１、ｕ＝１、ｖ＝０のときは下記一般式（２−１）で表されるキラル化合物、ｓ＝０、ｔ＝１、ｕ＝０、ｖ＝１のときは下記一般式（２−２）で表されるキラル化合物、ｓ＝１、ｔ＝０、ｕ＝１、ｖ＝０のときは下記一般式（２−３）で表されるキラル化合物になる。
【００７６】
【化４】
2014119589.tif 000007
【００７７】
（上記式（２−１）〜（２−３）において、Ｒ13、Ｒ14、Ｘ13〜Ｘ24は、上記式（２）と同様である。）
【００７８】
上記式（２）において、Ｒ13およびＲ14はそれぞれ上記式（１）におけるＲ11およびＲ12と同様である。
【００７９】
上記式（２）において、Ｘ13〜Ｘ24は、それぞれ独立して−ＣＨ3、−ＣＦ3、ハロゲン原子または水素原子を表す。ただし、上記式（１）で表されるキラル化合物と同様の理由から、Ｘ13〜Ｘ24のうち１つ以上は、それぞれ独立して−ＣＨ3、−ＣＦ3またはハロゲン原子である。
【００８０】
中でも、上記式（１）で表されるキラル化合物と同様に溶解性が良いことから、Ｘ22およびＸ24以外のいずれか１つ以上が、それぞれ独立して−ＣＨ3、−ＣＦ3またはハロゲン原子であることが好ましい。
【００８１】
１個のベンゼン環は、１〜４個の置換基を有することができるが、中でも１個または２個の置換基を有することが好ましい。置換基が１個の場合、置換基は−ＣＨ3、フッ素原子または塩素原子であることが好ましく、中でも−ＣＨ３またはフッ素原子であることが好ましい。一方、置換基が２個の場合にはいずれの置換基もフッ素原子であることが好ましい。この場合、２個の置換基の位置としては、上記式（１）で表されるキラル化合物と同様の理由から、例えばＸ17およびＸ18がフッ素原子である場合のようにベンゼン環の隣り合う炭素原子にそれぞれフッ素原子が置換していることが好ましい。
【００８２】
また、上記式（２−１）で表されるキラル化合物の場合、合計で１〜８個の置換基を有することが好ましい。中でも、置換基の合計数が３〜８個の場合には、ネマチック液晶組成物の結晶化が抑制される傾向にある。置換基の合計数が３〜８個の場合、特に３〜５個が好ましく、３個がより好ましい。
置換基の合計数が３〜８個の場合、置換基の位置としては、２個以上のベンゼン環において各置換基が近くに位置する炭素原子に結合していることが好ましい。このように各置換基同士が近くに位置することにより、分子配列の規則性を緩和することができ、ネマチック液晶組成物の結晶化を抑制することができるからである。中でも、１個のベンゼン環が２個の置換基を有し、そのベンゼン環に隣接する他のベンゼン環が１〜３個の置換基を有することがより好ましい。特に、Ｘ17〜Ｘ20が結合しているベンゼン環が２個のフッ素原子を有し、Ｘ13〜Ｘ16およびＸ21〜Ｘ24が結合しているベンゼン環の少なくともいずれかが１〜３個の−ＣＨ3、−ＣＦ3またはハロゲン原子を有することが好ましく、Ｘ17〜Ｘ20が結合しているベンゼン環が２個のフッ素原子を有し、Ｘ13〜Ｘ16が結合しているベンゼン環が１〜３個の−ＣＨ3、−ＣＦ3またはハロゲン原子を有することが好ましい。このような場合には、ネマチック液晶組成物の結晶化が抑制され、横電界方式液晶表示素子において透過率が高くなり応答速度が速くなる傾向にある。
【００８３】
また、上記式（２−２）および（２−３）で表されるキラル化合物の場合、合計で１〜２個の置換基を有することが好ましい。
【００８４】
置換基を有するベンゼン環の位置としては、上記式（１）で表されるキラル化合物と同様に結晶化を抑制できることから、直接結合された４個の芳香環のうち、より真ん中に位置するベンゼン環が置換基を有することが好ましい。具体的には、上記式（２−１）および（２−２）においては、Ｘ13〜Ｘ16またはＸ17〜Ｘ20が結合しているベンゼン環の少なくともいずれかが置換基を有することが好ましい。なお、上記式（２−３）においては、より真ん中に位置するベンゼン環が置換基を有している。
【００８５】
上記式（２）で表されるキラル化合物の具体例としては、下記一般式（２−４）〜（２−６）で表されるキラル化合物が挙げられる。
【００８６】
【化５】
2014119589.tif 000008
【００８７】
（上記式（２−４）〜（２−６）において、Ｒ24は−Ｏ−Ｃ＊Ｈ(ＣＨ3)ＣＯＯＲ25あるいは−Ｏ−(ＣＨ2)m−Ｃ＊Ｈ(ＣＨ3)Ｒ25であり、Ｒ25は炭素数１〜１０の飽和または不飽和のアルキル基、ｍは０または１である。ｗは４〜１８である。Ｘ51〜Ｘ56は独立して−ＣＨ3、−ＣＦ3、ハロゲン原子または水素原子を表す。ただし、上記式（２−４）において、Ｘ51〜Ｘ56のいずれか１つまたは２つが−ＣＨ3、−ＣＦ3またはハロゲン原子であり、残りが水素原子である、あるいは、Ｘ51およびＸ52、またはＸ53およびＸ54の２つがフッ素原子であり、残りが水素原子である、あるいは、Ｘ52が−ＣＨ3、−ＣＦ3またはハロゲン原子、Ｘ53およびＸ54の２つがフッ素原子であり、残りが水素原子である。また、上記式（２−５）および（２−６）において、Ｘ51〜Ｘ56のいずれか１つまたは２つが−ＣＨ3、−ＣＦ3またはハロゲン原子であり、残りが水素原子である、あるいは、Ｘ51およびＸ52、またはＸ53およびＸ54の２つがフッ素原子であり、残りが水素原子である。）
【００８８】
ｗは、上記式（２）におけるＲ13の炭素数と同様である。
Ｒ25は、上記式（３）におけるＲ15と同様とすることができる。中でも、Ｒ25は、直鎖状もしくは分岐状の飽和のアルキル基、またはフェニルアルキル基であることが好ましい。
Ｘ51〜Ｘ56は、上記式（２）におけるＸ13〜Ｘ24と同様とすることができる。
【００８９】
上記式（２−４）〜（２−６）で表されるキラル化合物の具体例としては、下記表２に示すキラル化合物を挙げることができる。なお、表中、右旋性を＋、左旋性を−で示す。
【００９０】
【表２】
2014119589.tif 000009
【００９１】
上記式（２）で表されるキラル化合物としては、１種を単独で用いてもよく、２種以上を混合して用いてもよい。
【００９２】
上記式（２）で表されるキラル化合物は、例えば、国際公開第２０１０／０３１４３１号パンフレットに記載の方法により合成することができる。
【００９３】
（ii）キラル化合物の含有量
本発明に用いられるネマチック液晶組成物は、キラル化合物を含有していればよい。中でも、２種以上のキラル化合物が含有される場合には、捩れ方向が逆方向のキラル化合物が含有されることが好ましい。捩れ方向が同方向のキラル化合物の含有量が多いと横電界方式液晶表示素子において無電界時にネマチック液晶組成物がらせん構造を形成してしまうおそれがあるが、捩れ方向が逆方向のキラル化合物であれば含有量が多くとも横電界方式液晶表示素子において無電界状態ではネマチック液晶組成物がらせん構造を形成しにくいからである。
【００９４】
ネマチック液晶組成物中のキラル化合物の含有量としては、所望の透過率を得ることができるとともに、線状電極間と線状電極上とで電界印加時の液晶分子の回転方向を逆方向にすることができ、横電界方式液晶表示素子において無電界時にネマチック液晶組成物がらせん構造を形成しない程度であれば特に限定されるものではない。具体的には、キラル化合物の合計含有量がネマチック液晶組成物中で１質量％〜１０質量％の範囲内であることが好ましい。キラル化合物の含有量が上記範囲よりも少ないと、透過率向上の効果が十分に得られない場合があり、一方、キラル化合物の含有量が上記範囲よりも多いと、横電界方式液晶表示素子において無電界時にネマチック液晶組成物がらせん構造を形成して横電界での駆動が困難であったり、ネマチック液晶組成物の粘度が高くなり応答速度が低下したりするおそれがあるからである。
【００９５】
（ｂ）他の成分
本発明に用いられるネマチック液晶組成物は、上記キラル化合物の他に、ネマチック相を示す成分を含有する。ネマチック相を示す成分としては、ネマチック液晶組成物に一般的に用いられるものを使用することができ、特に限定されるものではない。
【００９６】
（ｃ）ネマチック液晶組成物
本発明に用いられるネマチック液晶組成物はネマチック相を示すものであればよく、その特性や相系列等は特に限定されるものではない。
【００９７】
（２）液晶層
液晶層の厚みとしては、横電界方式の駆動が可能な厚みであれば特に限定されないが、応答速度向上、低駆動電圧のためには比較的薄いことが好ましい。具体的には、液晶層の厚みは１．５μｍ〜５．０μｍの範囲内であることが好ましい。
【００９８】
液晶層の形成方法としては、一般に液晶セルの作製方法として用いられる方法を使用することができ、例えば真空注入方式、液晶滴下方式等を用いることができる。
【００９９】
５．対向基板
本発明に用いられる対向基板は、上記液晶駆動側基板と対向するものであり、第２基材と、上記第２基材上に形成された第２配向膜とを有するものである。
なお、第２基材および第２配向膜については、上記液晶駆動側基板の第１基材および第１配向膜と同様とすることができるので、ここでの説明は省略する。
本発明の横電界方式液晶表示素子において、液晶駆動側基板の第１配向膜と対向基板の第２配向膜とは、ラビング方向等の配向処理方向が略平行になるように配置される。
対向基板の構成はＩＰＳモードおよびＦＦＳモードに応じて適宜選択されるものであり、横電界方式液晶表示素子に一般的に使用されるものを適用することができる。
【０１００】
６．横電界方式液晶表示素子の駆動
本発明の横電界方式液晶表示素子の駆動方法としては、一般的な駆動方法を適用することができる。
中でも、駆動電圧は比較的高いことが好ましく、具体的には５Ｖ〜１０Ｖの範囲内であることが好ましい。
【０１０１】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１０２】
以下に実施例を示し、本発明をさらに詳細に説明する。
【０１０３】
（ネマチック液晶組成物）
下記に示すキラル化合物を用い、下記表３に示すようにネマチック液晶組成物を準備した。
【０１０４】
【化６】
2014119589.tif 000010
【０１０５】
【表３】
2014119589.tif 000011
【０１０６】
［実施例１］
（ＩＰＳモード液晶表示素子の作製）
まず、ＩＴＯ電極が櫛歯状にパターニングされたガラス基板を準備した。ＩＴＯ電極は、図３に例示するように、複数の線状電極３が略平行に形成されたものであった。また、線状電極３の幅は５μｍ、線状電極３の間隔は１０μｍであった。
この基板上に、Φ５．０μｍの円状で、高さ３．３μｍの樹脂スペーサを０．１ｍｍピッチで形成した。次いで、その上にラビング配向膜材料（ＳＥ６１０：日産化学工業株式会社）を回転数１５００ｒｐｍで３０秒間スピンコーティングした。その後、オーブンで１８０℃、３０分間乾燥後、ラビング処理を行った。この際、図３に例示するように、線状電極３の伸長方向に対する配向処理方向ｄの角度θが３５°になるように、ラビング処理方向を設定した。
また、他のガラス基板上に、ラビング配向膜材料（ＳＥ６１０：日産化学工業株式会社）を回転数１５００ｒｐｍで３０秒間スピンコーティングした。その後、オーブンで１８０℃、３０分間乾燥後、ラビング処理を行った。
次に、基板上に四角い枠状にシール材を塗布した。その基板上に、上述のキラル化合物を含むネマチック液晶組成物を塗布し、二つの基板を互いのラビング処理の方向が平行になるように組み立て圧着を行った。液晶層の厚みは３．３μｍであった。
【０１０７】
［比較例１］
キラル化合物が添加されていないネマチック液晶組成物を用いたこと以外は、実施例１と同様にして液晶表示素子を作製した。
【０１０８】
［評価］
実施例１および比較例１の液晶表示素子について、偏光顕微鏡観察を行った。偏光顕微鏡における２枚の偏光板をクロスニコルの状態に設定し、液晶表示素子を透過光量が一番少なくなる位置まで回転させ、その状態で矩形波の１０Ｖの電圧を印加し、観察を行った。図５（ａ）、（ｂ）に実施例１の液晶表示素子の顕微鏡写真を示す。図５（ｂ）は図５（ａ）の拡大図である。また、図６に比較例１の液晶表示素子の顕微鏡写真を示す。
図６に示すように比較例１の液晶表示素子では線状電極間Ｄ１のみにおいて液晶分子が回転しているのに対して、図５（ａ）、（ｂ）に示すように実施例１の液晶表示素子では線状電極間Ｄ１だけでなく線状電極上Ｄ２においても液晶分子が回転しており、ネマチック液晶組成物にキラル化合物を添加することにより液晶表示素子全体の透過率が高くなることが確認された。
【０１０９】
また、実施例１の液晶表示素子において、上述の方法を用いて、線状電極間および線状電極上での液晶分子の回転方向を偏光顕微鏡観察により確認した。
ここで、キラル化合物は右旋性を示すため、電界印加時に線状電極上では液晶分子は右回りに回転していた。一方、線状電極間では電界の作用により液晶分子は左回りに回転していた。したがって、実施例１の液晶表示素子では従来のマルチドメイン方式と同様の効果を得ることが可能であることが確認された。
【符号の説明】
【０１１０】
１  …  横電界方式液晶表示素子
２  …  第１基材
３、３ｂ  …  線状電極
４  …  第１配向膜
１０  …  液晶駆動側基板
１１  …  第２基材
１２  …  第２配向膜
２０  …  対向基板
３０  …  液晶層
３１  …  液晶分子
ｄ  …  配向処理方向
Ｅ  …  電界
Ｘ１  …  第１方向
Ｘ２  …  第２方向
θ  …  線状電極の伸長方向に対する配向処理方向の角度
【図１】
2014119589.tif 000012
【図２】
2014119589.tif 000013
【図３】
2014119589.tif 000014
【図４】
2014119589.tif 000015
【図５】
2014119589.tif 000016
【図６】
2014119589.tif 000017